(57)【要約】      （修正有）【課題】      利用者に関する情報をＩＣタグに随時書き込むことで種々のサービスに柔軟に対応し、迅速なサービスの提供を行う情報登録システム及びサービス提供システムを提供する。【解決手段】  情報登録システム１００ａにおいて、利用者が登録情報の登録及びＩＣタグ３０への書き込みを行って所定のサービスを利用したいと考えた場合、利用者が申告した登録情報は、情報登録端末３により取得される。情報登録端末３は、取得した登録情報にメールアドレスが含まれるか否かを判定する。登録情報にメールアドレスが含まれない場合、情報登録端末３は、利用者ＩＤを発行し、登録情報とともにＩＣタグ３０に書き込む。一方、登録情報にメールアドレスが含まれる場合、情報登録端末３は、当該メールアドレスを送信先として確認メールを送信する。ここで、確認メールに対する適切な応答があった場合に、発行した利用者ＩＤ及び登録情報をＩＣタグ３０に書き込む。【選択図】    図１
2005338909.tif 000002
【特許請求の範囲】
【請求項１】
利用者に関する登録情報を取得する登録情報取得手段と、
前記登録情報取得手段が取得した登録情報にメールアドレスが含まれるか否かを判定する判定手段と、
前記判定手段が、メールアドレスが含まれると判定した場合に、当該メールアドレスを送信先として確認メールを送信する送信手段と、
前記判定手段が、メールアドレスが含まれないと判定した場合、及び、前記送信手段が送信した確認メールに対する適切な応答があった場合に、前記登録情報をＩＣタグに書き込む書込手段と、を備えることを特徴とする情報登録端末。
【請求項２】
利用者に関する登録情報を取得する登録情報取得手段と、
前記登録情報をＩＣタグに書き込む書込手段と、を備え、
前記登録情報取得手段は、利用者端末の外部機器用端子に接続して情報を取得する情報取得用端末により、前記利用者が使用する前記利用者端末から直接メールアドレスを取得することを特徴とする情報登録端末。
【請求項３】
前記登録情報取得手段は、前記利用者が利用する特定のサービスに関する情報記憶媒体から、当該サービスに関連するサービス関連情報を前記登録情報として取得することを特徴とする請求項１又は２に記載の情報登録端末。
【請求項４】
複数のコンテンツ情報を記憶する記憶手段と、
利用者が保有するＩＣタグから、当該利用者に関する登録情報を取得する登録情報取得手段と、
前記登録情報に基づいて、前記記憶手段から特定のコンテンツ情報を抽出するコンテンツ情報抽出手段と、
前記登録情報からメールアドレスを抽出するメールアドレス抽出手段と、
前記メールアドレス抽出手段が抽出したメールアドレスに、前記コンテンツ情報抽出手段が抽出したコンテンツ情報を送信する送信手段と、を備えることを特徴とするサービス端末。
【請求項５】
表示部を備えるサービス端末であって、
複数のコンテンツ情報を記憶する記憶手段と、
利用者が保有するＩＣタグから、前記利用者に関する登録情報を取得する登録情報取得手段と、
前記登録情報に基づいて、前記記憶手段から特定のコンテンツ情報を抽出するコンテンツ情報抽出手段と、
前記表示部に、前記コンテンツ情報抽出手段が抽出したコンテンツ情報を表示する表示手段と、を備えることを特徴とするサービス端末。
【請求項６】
コンピュータにおいて実行されるプログラムであって、
利用者に関する登録情報を取得する登録情報取得手段、
前記登録情報取得手段が取得した登録情報にメールアドレスが含まれるか否かを判定する判定手段、
前記判定手段が、メールアドレスが含まれると判定した場合に、当該メールアドレスを送信先として確認メールを送信する送信手段、
前記判定手段が、メールアドレスが含まれないと判定した場合、及び、前記送信手段が送信した確認メールに対する適切な応答があった場合に、前記登録情報をＩＣタグに書き込む書込手段、として前記コンピュータを機能させることを特徴とするプログラム。
【請求項７】
コンピュータにおいて実行されるプログラムであって、
利用者に関する登録情報を取得する登録情報取得手段、
前記登録情報をＩＣタグに書き込む書込手段、として前記コンピュータを機能させ、
前記登録情報取得手段は、利用者端末の外部機器用端子に接続して情報を取得する情報取得用端末により、前記利用者が使用する前記利用者端末から直接メールアドレスを取得することを特徴とするプログラム。
【請求項８】
コンピュータにおいて実行されるプログラムであって、
複数のコンテンツ情報を記憶する記憶手段、
利用者が保有するＩＣタグから、当該利用者に関する登録情報を取得する登録情報取得手段、
前記登録情報に基づいて、前記記憶手段から特定のコンテンツ情報を抽出するコンテンツ情報抽出手段、
前記登録情報からメールアドレスを抽出するメールアドレス抽出手段、
前記メールアドレス抽出手段が抽出したメールアドレスに、前記コンテンツ情報抽出手段が抽出したコンテンツ情報を送信する送信手段、として前記コンピュータを機能させることを特徴とするプログラム。
【請求項９】
表示部を備えるコンピュータにおいて実行されるプログラムであって、
複数のコンテンツ情報を記憶する記憶手段、
利用者が保有するＩＣタグから、前記利用者に関する登録情報を取得する登録情報取得手段、
前記登録情報に基づいて、前記記憶手段から特定のコンテンツ情報を抽出するコンテンツ情報抽出手段、
前記表示部に、前記コンテンツ情報抽出手段が抽出したコンテンツ情報を表示する表示手段、として前記コンピュータを機能させることを特徴とするプログラム。
【請求項１０】
ネットワークを介して相互に通信可能に接続された利用者端末及び情報登録端末から構成される情報登録システムであって、
前記利用者端末は、
利用者の操作に応じて、当該利用者に関する登録情報を前記情報登録端末へ送信する送信手段を備え、
前記情報登録端末は、
前記利用者端末から登録情報を受信する登録情報受信手段と、
前記登録情報をＩＣタグに書き込む書込手段と、を備えることを特徴とする情報登録システム。
【請求項１１】
ネットワークを介して相互に通信可能に接続された利用者端末及びバーコード発行端末と、情報登録端末とから構成される情報登録システムであって、
前記利用者端末は、
利用者に関する登録情報を前記情報登録端末へ送信する送信手段と、
前記バーコード発行端末から、前記登録情報が変換された二次元バーコードを取得する二次元バーコード取得手段と、を備え、
前記バーコード発行端末は、
前記利用者端末から登録情報を受信する登録情報受信手段と、
前記登録情報を二次元バーコード形式に変換することにより二次元バーコードを発行する発行手段と、を備え、
前記情報登録端末は、
前記二次元バーコードから前記登録情報を取得する取得手段と、
前記取得手段が取得した前記登録情報をＩＣタグに書き込む書込手段と、を備えることを特徴とする情報登録システム。
【発明の詳細な説明】
【技術分野】
【０００１】
本発明は、ＩＣタグに情報を書き込む技術に関する。
【背景技術】
【０００２】
従来から、ＩＣタグを利用して、種々のサービスを提供する方法が知られている。この場合、サービス提供会社は、まず、ＩＣタグに一意な識別情報であるタグＩＤを書き込み、所定のサービスを希望する利用者へ配布する。そして、サービス提供会社が管理するサーバは、利用者が保有するＩＣタグのタグＩＤをキーとして当該利用者に関する情報を記憶、管理する。利用者がＩＣタグをリーダにかざすと、その都度ＩＣタグのタグＩＤがリーダからサーバへ送信される。サーバは、受信したタグＩＤに基づいて利用者に関する情報を抽出し、本人確認及び各利用者に適したサービスの選定を行う。そして、サーバが選定したサービスを利用者に送信することで、利用者はＩＣタグを利用して希望するサービスの提供を受けることができる。
【０００３】
しかし、従来の方法では、タグの容量的な制約や、ＩＤを一元管理する必要があったことから、事前にＩＣタグにＩＤのみを書き込み、サーバ側でＩＤの一元管理をする必要があった。このため、工場出荷時にＩＣタグに書き込まれた情報は、配布後に変更することはできなかった。
【０００４】
また、ＩＣタグには予め一意なタグＩＤしか書き込まれていないため、利用者がＩＣタグをリーダにかざしたとき、本人確認及びサービスの選定を行うためにはその都度サーバに問い合わせを行う必要があった。そのため、リーダがサーバと通信をして、サーバからサービスが送信されてくるまでの間、利用者を待たせる時間が発生していた。即ち、利用者は、ＩＣタグをリーダにかざしてから所定の時間サービスの提供を待たなければならなかった。
【０００５】
一方、サービス提供会社にとっても、リーダとサーバ間の通信環境を必ず用意しなければならないという制約があるため、ＬＡＮ等の施設のない場所においてはＰＨＳカードといった無線通信装置が必要となり、このための通信料金も発生していた。
【発明の開示】
【発明が解決しようとする課題】
【０００６】
本発明は、以上の点に鑑みてなされたものであり、利用者に関する情報をＩＣタグに随時書き込むことで種々のサービスに柔軟に対応でき、迅速なサービスの提供を行うことができる情報登録システムを提供することを課題とする。
【課題を解決するための手段】
【０００７】
本発明の１つの観点では、利用者に関する登録情報を取得する登録情報取得手段と、前記登録情報取得手段が取得した登録情報にメールアドレスが含まれるか否かを判定する判定手段と、前記判定手段が、メールアドレスが含まれると判定した場合に、当該メールアドレスを送信先として確認メールを送信する送信手段と、前記判定手段が、メールアドレスが含まれないと判定した場合、及び、前記送信手段が送信した確認メールに対する適切な応答があった場合に、前記登録情報をＩＣタグに書き込む書込手段と、を備える。
【０００８】
上記のように構成された情報登録端末において、登録情報とは、利用者が申告した当該利用者に関する情報であり、具体的には、氏名、メールアドレス、性別、年齢、趣味や嗜好に関する属性情報、利用者が利用しているサービスに関連する情報などが挙げられる。情報登録端末は、まず、取得した登録情報にメールアドレスが含まれるか否かを判定する。登録情報にメールアドレスが含まれない場合、情報登録端末は、当該登録情報をＩＣタグに書き込む。一方、登録情報にメールアドレスが含まれる場合、情報登録端末は、当該メールアドレスを送信先として確認メールを送信する。ここで、確認メールに対する適切な応答があった場合に、登録情報をＩＣタグに書き込む。しかし、確認メールに対する適切な応答がない場合には、ＩＣタグへの登録情報の書き込みは行われない。具体的に、確認メールに対する適切な応答とは、宛先不明のエラーメッセージを受信しないことや、送信先の端末からの受信確認のメールを受信することなどが挙げられる。このようにして、メールアドレスをはじめ利用者が申告した登録情報に不備がない場合に限り、ＩＣタグに、利用者を識別する情報とともに登録情報が書き込まれる。
【０００９】
これによれば、ＩＣタグに、メールアドレスや性別といった利用者の属性情報や嗜好情報を書き込むことができる。そのため、例えば所定のサービスでＩＣタグを利用する場合、ＩＣタグに基づいて、利用者の属性や嗜好に基づくサービスの特定などを容易に行うことができる。
【００１０】
本発明の他の一態様では、利用者に関する登録情報を取得する登録情報取得手段と、前記登録情報をＩＣタグに書き込む書込手段と、を備え、前記登録情報取得手段は、利用者端末の外部機器用端子に接続して情報を取得する情報取得用端末により、前記利用者が使用する前記利用者端末から直接メールアドレスを取得する。ここで、利用者が使用する利用者端末とは、メールアドレスを保有しており、他の端末とメールの送受信が可能な携帯電話やＰＤＡ（Personal Digital Assistants）などである。また、情報取得用端末とは、利用者端末の外部機器用端子に接続して情報を取得する機器である。これによれば、情報登録端末は、情報取得用端末を介して直接利用者端末からメールアドレスを取得することができるため、利用者が登録情報として不正なメールアドレスを申告する行為を防止することができる。
【００１１】
本発明の他の一態様では、前記登録情報取得手段は、前記利用者が利用する特定のサービスに関する情報記憶媒体から、当該サービスに関連するサービス関連情報を前記登録情報として取得する。ここで、サービス関連情報とは、特定のサービスを利用するためのＩＤやポイントなどが挙げられる。これによれば、サービス提供会社を超えて、利用者が利用する様々なサービスに関連する情報を１枚のＩＣタグに書き込むことができる。換言すると、利用者は、１枚のＩＣタグで様々なサービスを利用することが可能となり、利便性が高まる。
【００１２】
本発明の別の観点では、複数のコンテンツ情報を記憶する記憶手段と、利用者が保有するＩＣタグから、当該利用者に関する登録情報を取得する登録情報取得手段と、前記登録情報に基づいて、前記記憶手段から特定のコンテンツ情報を抽出するコンテンツ情報抽出手段と、前記登録情報からメールアドレスを抽出するメールアドレス抽出手段と、前記メールアドレス抽出手段が抽出したメールアドレスに、前記コンテンツ情報抽出手段が抽出したコンテンツ情報を送信する送信手段と、を備える。
【００１３】
上記のように構成されたサービス端末において、ＩＣタグから取得する登録情報とは、氏名、メールアドレス、性別、年齢、趣味や嗜好に関する属性情報、利用者が利用しているサービスに関連する情報などが挙げられる。そのため、サービス端末は、ＩＣタグから取得した当該登録情報に基づいて、利用者の嗜好に合ったコンテンツ情報を適切に特定することができる。そして、登録情報から抽出したメールアドレスを宛先として、利用者が使用する端末に特定したコンテンツ情報を配信することができる。これにより、利用者は、ＩＣタグを利用して、自身の嗜好に合ったコンテンツ情報を容易に取得することができる。
【００１４】
本発明の別の観点では、表示部を備えるサービス端末であって、複数のコンテンツ情報を記憶する記憶手段と、利用者が保有するＩＣタグから、前記利用者に関する登録情報を取得する登録情報取得手段と、前記登録情報に基づいて、前記記憶手段から特定のコンテンツ情報を抽出するコンテンツ情報抽出手段と、前記表示部に、前記コンテンツ情報抽出手段が抽出したコンテンツ情報を表示する表示手段と、を備える。これによれば、サービス端末は、ＩＣタグから取得した当該登録情報に基づいて、利用者の嗜好に合ったコンテンツ情報を適切に特定することができる。そして、表示部に特定したコンテンツ情報を表示することができる。これにより、利用者は、ＩＣタグを利用して、自身の嗜好に合ったコンテンツ情報の提供を容易に受けることができる。
【００１５】
本発明の別の観点では、コンピュータにおいて実行されるプログラムであって、利用者に関する登録情報を取得する登録情報取得手段、前記登録情報取得手段が取得した登録情報にメールアドレスが含まれるか否かを判定する判定手段、前記判定手段が、メールアドレスが含まれると判定した場合に、当該メールアドレスを送信先として確認メールを送信する送信手段、前記判定手段が、メールアドレスが含まれないと判定した場合、及び、前記送信手段が送信した確認メールに対する適切な応答があった場合に、前記登録情報をＩＣタグに書き込む書込手段、として前記コンピュータを機能させる。
【００１６】
また、本発明の別の観点では、コンピュータにおいて実行されるプログラムであって、複数のコンテンツ情報を記憶する記憶手段、利用者が保有するＩＣタグから、当該利用者に関する登録情報を取得する登録情報取得手段、前記登録情報に基づいて、前記記憶手段から特定のコンテンツ情報を抽出するコンテンツ情報抽出手段、前記登録情報からメールアドレスを抽出するメールアドレス抽出手段、前記メールアドレス抽出手段が抽出したメールアドレスに、前記コンテンツ情報抽出手段が抽出したコンテンツ情報を送信する送信手段、として前記コンピュータを機能させる。
【００１７】
上記プログラムをコンピュータにより実行することにより、上述の利用者端末及び配信端末を実現することができる。また、上述の利用者端末及び配信端末の各態様も同様に実現することができる。
【００１８】
本発明の別の観点では、ネットワークを介して相互に通信可能に接続された利用者端末及び情報登録端末から構成される情報登録システムであって、前記利用者端末は、利用者の操作に応じて、当該利用者に関する登録情報を前記情報登録端末へ送信する送信手段を備え、前記情報登録端末は、前記利用者端末から登録情報を受信する登録情報受信手段と、前記登録情報をＩＣタグに書き込む書込手段と、を備える。
【００１９】
上記のように構成された情報登録システムによれば、ＩＣタグに、メールアドレスや性別といった利用者の属性情報や嗜好情報を書き込むことができる。そのため、例えば所定のサービスでＩＣタグを利用する場合、ＩＣタグに基づいて、利用者の属性や嗜好に基づくサービスの特定などを容易に行うことができる。
【００２０】
本発明のさらに別の観点では、ネットワークを介して相互に通信可能に接続された利用者端末及びバーコード発行端末と、情報登録端末とから構成される情報登録システムであって、前記利用者端末は、利用者に関する登録情報を前記情報登録端末へ送信する送信手段と、前記バーコード発行端末から、前記登録情報が変換された二次元バーコードを取得する二次元バーコード取得手段と、を備え、前記バーコード発行端末は、前記利用者端末から登録情報を受信する登録情報受信手段と、前記登録情報を二次元バーコード形式に変換することにより二次元バーコードを発行する発行手段と、を備え、前記情報登録端末は、前記二次元バーコードから前記登録情報を取得する取得手段と、前記取得手段が取得した前記登録情報をＩＣタグに書き込む書込手段と、を備える。
【００２１】
上記のように構成された情報登録システムにおいて、利用者は、まず、利用者端末を使用して、登録情報をバーコード発行端末に送信する。バーコード発行端末は、登録情報を二次元バーコード形式に変換することで二次元バーコードを発行し、利用者に提供する。情報登録端末は、利用者が取得した二次元バーコードから登録情報を取得し、ＩＣタグに書き込む。これによれば、二次元バーコードを利用することで、利用者の登録情報の入力を受け付ける機能をバーコード発行端末が担うことになるため、情報登録端末の処理負担を軽減させることができる。また、利用者は利用者端末により事前に登録情報の申告をしておくことで、ＩＣタグへの情報書き込み時には、登録情報の入力を気軽に行うことができる。
【発明の効果】
【００２２】
本発明によれば、利用者に関する情報をＩＣタグに随時書き込むことで種々のサービスに柔軟に対応でき、迅速なサービスの提供を行うことができる。
【発明を実施するための最良の形態】
【００２３】
以下、図面を参照して本発明の好適な実施の形態について説明する。本発明は、非接触ＩＣタグ（以下、「ＩＣタグ」と呼ぶ。）に書き込まれた情報に基づいて利用者の本人認証や、利用者の嗜好・属性の特定を行うことで、利用者に対してサービスを提供する場合におけるＩＣタグへの書き込みに関するものである。ここで、ＩＣタグとは、微小な無線ＩＣチップであって、自身の識別コードなどの情報が記録されており、電波を使って情報を送受信する能力を持つものをいう。
【００２４】
[第１実施形態]
（i）情報登録システム
まず、本発明の第１実施形態に係る情報登録システムについて説明する。図１に情報登録システムの概略構成を示す。図１に示す情報登録システム１００ａは、利用者ＩＤ、メールアドレス、利用者の属性情報といった登録情報をＩＣタグに書き込むシステムである。
【００２５】
図１に示すように、情報登録システムにおいて、利用者端末１０と情報登録端末３はネットワーク２を介して通信可能に接続されている。ネットワーク２の１つの好適な例はインターネットである。ここで、利用者端末１０とは、利用者が使用しており、ネットワーク２を介して情報登録端末３とメールの送受信が可能な端末である。具体的には、携帯電話やＰＤＡなどが挙げられる。また、情報登録端末３は、詳細は後述するが、オペレータの操作によって利用者に関する登録情報を取得し、当該登録情報をＩＣタグ３０への書き込む端末である。情報登録端末３は、登録情報データベース（以下、「ＤＢ」と呼ぶ。）４と、ＩＣタグ用リーダ／ライタ６ａに接続されている。
【００２６】
なお、本実施形態では、情報登録端末３と、ＩＣタグ用リーダ／ライタ６ａを通信可能に接続された別々の端末としているが、本発明はこれに限定されるものではなく、情報登録端末３とＩＣタグ用リーダ／ライタ６ａ双方の機能を有する破線で示すような１つの端末とすることもできる。
【００２７】
また、本実施形態では、登録情報ＤＢ４が情報登録端末３に接続されているが、本発明はこれに限定されるものではなく、登録情報ＤＢ４が記憶する内容を情報登録端末３内の記憶領域に記憶することとしてもよい。また、登録情報ＤＢ４は、ＩＣタグ３０へ登録情報を書き込むために必ずしも必要なわけではないため、管理者の任意で設置しないこととしても構わない。
【００２８】
ここで、本システムによる情報登録及びＩＣタグ３０への書き込み方法の概要を述べておく。利用者は、所定のサービスを利用するためなどに自身に関する情報を登録し、ＩＣタグ３０への書き込みを行いたいと考えた場合、まず、オペレータに登録情報を申告する。ここで、登録情報とは、利用者に関する情報であり、具体的には、氏名、メールアドレス、性別、年齢関する属性情報、趣味や嗜好に関する嗜好情報、利用者が利用しているサービスに関連するサービス関連情報などが挙げられる。登録情報の申告は、所定の申込書に登録情報を記入する方法やオペレータに口頭で申告する方法など種々の方法を適用することができる。
【００２９】
オペレータは、利用者が申告した登録情報の内容を確認し、適当であれば、情報登録端末３に当該登録情報の内容を入力する。情報登録端末３は、登録情報にメールアドレスが含まれている場合には、当該メールアドレスを送信先として確認メールの送信を行い、利用者本人が使用している正しいメールアドレスであるか否かを確認する。そして、情報登録端末３は、メールアドレスをはじめ登録情報が適当であれば、利用者を識別するための利用者ＩＤを発行し、当該利用者ＩＤをキーとして登録情報を登録情報ＤＢ４に記憶する。また、情報登録端末３は、発行した利用者ＩＤと、登録情報とをＩＣタグ３０に書き込む。情報が書き込まれたＩＣタグ３０は、オペレータを介して利用者へ配布する。このようにして、本システムによる登録情報の登録及びＩＣタグ３０への書き込みは行われる。
【００３０】
ここで、情報登録端末３について詳しく説明する。情報登録端末３は、図１に示すように、登録処理制御部３１及びアドレス確認処理部３２から構成されており、ＩＣタグ用リーダライタ６ａ及び登録情報ＤＢ４に接続されている。
【００３１】
まず、情報登録端末３を構成する登録処理制御部３１について説明する。登録処理制御部３１は、利用者が申告した登録情報をオペレータが情報登録端末３に入力するたびに起動し、一連の登録処理を行うプログラムを呼び出す。呼び出されたプログラムは、利用者ＩＤを発行し、当該利用者ＩＤをキーとして登録情報を登録情報ＤＢ４に記憶する。また、ＩＣタグ用リーダ／ライタ６ａを介してＩＣタグ３０に利用者ＩＤと、登録情報とを書き込む。ＩＣタグ用リーダ／ライタ６ａは、登録処理制御部３１によって制御されており、電波を介してＩＣタグ３０から情報を読み取る機能、及び、ＩＣタグ３０に情報を書き込む機能を有する。なお、ＩＣタグ３０に書き込む登録情報にメールアドレスが含まれる場合には、事前にアドレス確認処理部３２を起動する。
【００３２】
次に、情報登録端末３を構成するアドレス確認処理部３２について説明する。アドレス確認処理部３２は、ＩＣタグ３０に書き込む登録情報にメールアドレスが含まれる場合に起動する。メールアドレス確認処理部３２は、利用者が登録情報として申告したメールアドレスが正しいかどうかを確認するための一連の処理を行うプログラムを呼び出す。呼び出されたプログラムは、オペレータが入力した利用者のメールアドレスを送信先として、確認メールを送信する。そして、メールアドレス確認処理部３２が、宛先不明のエラーメールを受け取らず、利用者に対して確認メールが正しく届いたことをオペレータが確認した場合に、利用者が登録情報として申告したメールアドレスが正しいものと判断する。具体的に、オペレータは、利用者が使用する携帯電話といった利用者端末１０に確認メールが届いているか否かを確認することとなる。
【００３３】
次に、図２を参照して、登録情報ＤＢ４について詳しく説明する。図２は、登録情報ＤＢ４のデータ構造を模式的に示す図である。図２に示すように、登録情報ＤＢ４は、利用者ＩＤ、メールアドレス、性別、年齢などから構成される。情報登録端末３は、利用者が申告した登録情報が適当である場合に、自身が発行した利用者ＩＤをキーとして、図示のように登録情報を記憶する。これによれば、登録情報ＤＢ４により、オペレータや情報登録端末３の管理者は、利用者ＩＤをキーとして登録済みの利用者に関する情報を一元管理することができる。
【００３４】
なお、本実施形態における情報登録システム１００ａは、図１に示すように、便宜上、情報登録端末３を１つとしているが、本発明はこれに限定されるものではなく、各地に設置された複数の情報登録端末３を構成要素とすることも可能である。この場合、登録情報ＤＢ４に記憶された情報は、定期的に所定の管理サーバに吸い上げられる。つまり、管理サーバは、全ての情報登録端末３の登録情報ＤＢ４に記憶された情報を取得し、利用者ＩＤをキーとして登録済みの全ての利用者に関する情報を一元管理することができる。
【００３５】
次に、図３（ａ）を参照して、ＩＣタグ３０について詳しく説明する。図３（ａ）は、ＩＣタグ３０のデータ構成を模式的に示す図である。図３（ａ）に示すように、ＩＣタグ３０は、情報登録端末３が発行した利用者ＩＤと、利用者が申告した登録情報とを記憶している。よって、ＩＣタグ用リーダ／ライタ６ａは、既に情報が書き込まれたＩＣタグ３０から、図示のような利用者に関する情報を取得することができる。
【００３６】
（ii）情報登録処理
次に、図４を参照して、上記情報登録システム１００ａにより実行される情報登録処理について説明する。図４は、情報登録処理のフローチャートである。
【００３７】
利用者は、所定のサービスを利用するためなどに自身に関する情報を登録し、ＩＣタグ３０への書き込みを行いたいと考えた場合、まず、オペレータに登録の申込を行う。この際、利用者が既にＩＣタグ３０を保有している場合にはそのＩＣタグ３０を提示し、当該ＩＣタグ３０に登録情報を追加書き込み、上書きすることになる。このように、利用者が既にＩＣタグ３０を保有している場合の登録を、ＩＣタグ３０を保有していない「新規登録」と区別するために、「追記登録」と呼ぶ。なお、追記登録の場合、後述するステップＳ７において利用者ＩＤの発行は行われない。また、既に当該ＩＣタグ３０に記憶された利用者ＩＤをキーとして、登録情報ＤＢ４に登録情報を追加記憶、上書きすることになる。つまり、利用者は、情報登録システム１００ａを利用することで、新規登録としてＩＣタグ３０を取得することも可能であるし、追記登録として自身が既に保有しているＩＣタグ３０に追加登録情報をさらに書き込むことも可能である。
【００３８】
次に、利用者は、オペレータに必要な登録情報を申告する。オペレータは、利用者が申告した登録情報の確認を行う。具体的に、オペレータは、性別や年齢といった登録情報の項目の確認等を行う。そして、申告内容に問題がなければ、オペレータは、登録情報を情報登録端末３に入力する。一方、不適当な項目があった場合など申告内容に問題があれば、オペレータは、利用者に修正依頼を行う。利用者は、申告内容を確認して修正を行い、再度オペレータに申告する。
【００３９】
オペレータの入力により、図４に示すように、情報登録端末３は、利用者の登録情報を取得し、登録処理制御部３１を起動する（ステップＳ１）。そして、情報登録端末３は、取得した登録情報にメールアドレスが含まれるか否かを判定する（ステップＳ２）。登録情報にメールアドレスが含まれていない場合（ステップＳ２；Ｎｏ）、情報登録端末３は、ステップＳ７の処理へ進む。一方、登録情報にメールアドレスが含まれている場合（ステップＳ２；Ｙｅｓ）、情報登録端末３は、アドレス確認処理部３２を起動する（ステップＳ３）。そして、情報登録端末３は、登録情報に含まれるメールアドレスを送信先として確認メールを送信する（ステップＳ４）。確認メールの送信により宛先不明のエラーメールを受信した場合やオペレータからのメールアドレスが正しくない旨の操作信号を検知した場合、情報登録端末３は、利用者が申告したメールアドレスが正しくないと判定する（ステップＳ５；Ｎｏ）。そして、情報登録端末３は、登録情報の登録及びＩＣタグ３０への書き込みを行うことなく情報登録処理を終了する（ステップＳ６）。
【００４０】
一方、確認メールの送信により、利用者が申告したメールアドレスが正しいと判定した場合（ステップＳ５）、情報登録端末３は、利用者ＩＤを発行し、当該利用者ＩＤをキーとして登録情報を登録情報ＤＢ４に記憶する（ステップＳ７）。また、情報登録端末３は、ＩＣタグ用リーダライタ６ａを制御することにより、利用者ＩＤ及び登録情報をＩＣタグ３０に書き込む（ステップＳ８）。これにより、情報登録処理は完了する。そして、利用者ＩＤ及び登録情報が書き込まれたＩＣタグ３０は、オペレータにより利用者へ配布される。
【００４１】
なお、本実施形態では、ステップＳ５においてメールアドレスが正しくないと判定された場合に情報登録をしないこととしているが、本発明はこれに限定されるものではなく、オペレータにより利用者に修正依頼をすることとしてもよい。この場合、情報登録端末３は、修正後の登録情報を取得すると、ステップＳ２乃至Ｓ８を繰り返すことになる。
【００４２】
また、本発明は、ＩＣタグ３０に書き込むデータの形式には依存しない。具体的に、ＩＣタグ３０に書き込むデータとして、ＸＭＬ（eXtensible Markup Language）形式を採用すればデータ構造の変化に柔軟に対応することができる。本発明は、このような各種のデータフォーマットにも対応できる書き込み方法である。
【００４３】
また、暗号化を施すことで、ＩＣタグ３０に書き込まれている情報を保護することもできる。つまり、暗号を解くキーのあるＩＣタグ用リーダ／ライタ６ａのみが、ＩＣタグ３０からの情報の読み出しや、ＩＣタグ３０への情報の書き込みを行うことができる。
【００４４】
また、本実施形態では、利用者ＩＤ及び登録情報をＩＣタグ３０に記憶することとしているが、本発明はこれに限定されるものではなく、登録情報のみをＩＣタグに記憶することとしてもよい。
【００４５】
このように、本発明の情報登録システム１００ａでは、利用者に関する情報をＩＣタグ３０に随時書き込むことができる。これにより、サービスの形態の変化や新サービスの開始に応じて情報を追加書き込みすることで、種々のサービスにＩＣタグ３０を柔軟に対応させることができる。
【００４６】
（iii）第１変形例
上記の第１実施形態では、利用者が申告した登録情報をオペレータが情報登録端末３に入力することとしているが、本発明はこれに限定されるものではなく、オペレータの代わりに登録用端末を設置することも可能である。この場合の情報登録システムは、図１に示すオペレータに代わり、情報登録端末３と通信可能に接続された登録用端末が構成要素となる。
【００４７】
登録用端末とは、利用者からの登録情報の入力を受け付けるインタフェースと、受け付けた登録情報を情報登録端末３の登録処理制御部３１へ送信する機能を備えている。登録情報の入力を受け付けるインタフェースとして、具体的には、タッチパネルによる方法などが挙げられる。
【００４８】
このような情報登録システムでは、オペレータを雇う必要がないため、人件費を削減することができる。また、利用者は、人間と対話するのではなく、機械操作により行われるため、気軽にＩＣタグ３０への登録情報の新規登録／追記登録を行うことができる。
【００４９】
なお、このような情報登録システムでは、利用者が登録情報としてメールアドレスを登録する場合、情報登録端末３のアドレス確認処理部３２による確認メールで当該メールアドレスの正否を確認する。即ち、利用者が登録情報として入力したメールアドレスが正しくない場合の検出は、アドレス確認処理部３２が送信不可能のエラーメールを受信した場合となる。
【００５０】
メールアドレスの正否を確認する方法としては、この他にも、ＩＣタグ３０と一意に紐づくパスワードのようなものを確認メールに記述しておき、情報登録端末３が、利用者に入力させた当該パスワードと、利用者が保有するＩＣタグ３０から読み取った情報との整合性を判断することにより確認する方法などが想定される。
【００５１】
（iv）第２変形例
利用者が保有する携帯電話といった利用者端末１０のメールアドレスを登録情報に含む場合、利用者端末１０の外部機器用端子に接続して情報を取得する機器（以下、「情報取得用端末」と呼ぶ。）を本発明の情報登録システムに利用することもできる。この場合の情報登録システム１００ｂの概略構成を図５に示す。
【００５２】
図５に示すように、情報登録システム１００ｂにおいて、利用者端末１０と情報登録端末３は、情報取得用端末９を介して直接接続されている。つまり、情報登録端末３は、情報取得用端末９を介して直接利用者端末１０が使用するメールアドレスを取得することができる。よって、利用者が、登録情報として偽りのメールアドレスを申告することを防止することができる。そのため、情報登録端末３は、上述のようにアドレス確認処理部３２を構成要素として含まなくてもよい。
【００５３】
なお、情報登録端末３は、メールアドレス以外の登録情報は、利用者が情報取得用端末９に手入力することにより取得することができるものとする。しかし、本発明は、これに限定されるものではなく、上述のように、オペレータや登録用端末を通して取得することとしてもよい。
【００５４】
登録情報を取得した情報登録端末３は、利用者ＩＤを発行し、当該利用者ＩＤをキーとして当該登録情報を登録情報ＤＢ４に記憶する。さらに、情報登録端末３は、利用者ＩＤ及び登録情報をＩＣタグ３０に書き込む。このようにして、利用者は登録情報が書き込まれたＩＣタグ３０を取得することができる。
【００５５】
このように、本発明の情報登録システム１００ｂでは、情報取得用端末９を利用することで、利用者の登録情報の入力を受け付ける機能と、利用者のメールアドレスの成否を確認する機能を情報取得用端末９が担うことになるため、情報登録端末３の処理負担を軽減させることができる。
【００５６】
（v）第３変形例
二次元バーコードを利用して、登録情報を二次元バーコードの形式で利用者に提供することを本発明の情報登録システムに適用することもできる。この場合の情報登録システム１００ｃの概略構成を図６に示す。
【００５７】
図６に示すように、情報登録システム１００ｃにおいて、利用者は、利用者端末１０及び／又は利用者ウェブ端末１１を使用している。利用者端末１０及び／又は利用者ウェブ端末１１は、ネットワーク２を介してバーコード発行端末と通信可能に接続されている。利用者は、ＩＣタグ３０へ登録情報を書き込みたいと考えた場合、まず、利用者ウェブ端末１１を使用して、登録情報を、ネットワーク２を介してバーコード発行端末４０に送信する。バーコード発行端末４０は、登録情報を二次元バーコードの形式に変換することで二次元バーコードを発行し、利用者に提供する。二次元バーコードの利用者への提供方法は、二次元バーコードが表示されるウェブページのＵＲＬを利用者端末１０や利用者ウェブ端末１１へ送信する方法、二次元バーコードが印刷された紙媒体をＦＡＸなどにより利用者へ送信する方法など種々の方法を適用することができる。ここで、二次元バーコードとは、具体的にＱＲコード（登録商標）などが挙げられる。なお、利用者が送信した登録情報にメールアドレスが含まれている場合、バーコード発行端末４０は、確認メールの送信などにより当該メールアドレスの成否を判定することとしてもよい。この場合、当該メールアドレスが正しいと判定した場合にのみ、バーコード発行端末４０は、登録情報が記録された二次元バーコードを発行することになる。
【００５８】
情報登録システム１００ｃにおいて、情報登録端末３は、二次元バーコードリーダ１９に接続されている。利用者は、登録情報が書き込まれたＩＣタグ３０を取得するため、バーコード発行端末４０から取得した二次元バーコードを、二次元バーコードリーダ１９に読み取らせる。情報登録端末３は、二次元バーコードリーダ１９が二次元バーコードから読み取った登録情報を取得し、利用者ＩＤを発行する。そして、情報登録端末３は、利用者ＩＤをキーとして登録情報を登録情報ＤＢ４に記憶する。また、情報登録端末３は、利用者ＩＤ及び登録情報をＩＣタグ３０に書き込む。このようにして、利用者は登録情報が書き込まれたＩＣタグ３０を取得することができる。
【００５９】
このような情報登録システム１００ｃの具体的な適用場面として、展示会などが考えられる。この場合、展示会に入場したいと考えた利用者は、利用者ウェブ端末１１を使用してバーコード発行端末４０から自身に関する登録情報が変換された二次元バーコードを取得する。そして、利用者は、取得した二次元バーコードを展示会に持参し、当該展示会の受付で提示する。展示会の受付では、利用者から提示された二次元バーコードに基づいてＩＣタグ３０への書き込みが行われ、当該ＩＣタグ３０は利用者に配布される。つまり、二次元バーコードが展示会の入場券の役割を果たすことになる。また、利用者は、二次元バーコードに基づいて登録情報が書き込まれたＩＣタグ３０を利用しながら展示会の会場を散策することにより、詳細は後述するが、様々なサービスの提供を受けることができる。
【００６０】
このように、本発明の情報登録システム１００ｃでは、二次元バーコードを利用することで、利用者の登録情報の入力を受け付ける機能をバーコード発行端末４０が担うことになるため、情報登録端末３の処理負担を軽減させることができる。また、利用者は利用者ウェブ端末１１により登録情報の申告を行うことができるため、オペレータや登録用端末が設置された場所まで行く必要はない。即ち、事前に登録情報の申告をしておくことで、ＩＣタグへの情報書き込み時には、登録情報の入力を気軽に行うことができる。さらに、登録情報を変換することにより発行される二次元バーコードは展示会などの入場券としての役割を果たす事も可能である。
【００６１】
[第２実施形態]
（i）情報登録システム
次に、本発明の第２実施形態に係る情報登録システムについて説明する。図７に情報登録システムの概略構成を示す。図７に示す情報登録システム１００ｄは、利用者ＩＤ、メールアドレス、利用者の属性情報、趣味や嗜好といった嗜好情報、他のサービスに関連するサービス関連情報といった登録情報をＩＣタグ３０に書き込むシステムである。
【００６２】
図７に示すように、情報登録システム１００ｄにおいて、利用者ウェブ端末１１と、情報登録ウェブサーバ１２はネットワークを介して通信可能に接続されている。ネットワーク２の１つの好適な例はインターネットである。ここで、利用者ウェブ端末１１とは、利用者が使用しており、ネットワーク２を介して情報登録ウェブサーバ１２と登録情報やメールの送受信が可能な端末である。具体的に、利用者ウェブ端末１１は、利用者の自宅に設置されているパーソナルコンピュータなどが挙げられる。また、情報登録ウェブサーバ１２は、詳細は後述するが、利用者ウェブ端末１１から登録情報を取得し、当該登録情報をＩＣタグ３０へと書き込むサーバである。情報登録ウェブサーバ１２は、登録情報ＤＢ４とＩＣタグ用リーダ／ライタ６ａに接続されている。
【００６３】
なお、本実施形態では、情報登録ウェブサーバ１２と、ＩＣタグ用リーダ／ライタ６ａを通信可能に接続された別々の端末としているが、本発明はこれに限定されるものではなく、情報登録ウェブサーバ１２とＩＣタグ用リーダ／ライタ６ａ双方の機能を有する１つのサーバとすることもできる。
【００６４】
ここで、本システムによる情報登録及びＩＣタグ３０への書き込み方法の概要を述べておく。利用者は、所定のサービスを利用するためなどに自身に関する情報を登録し、ＩＣタグ３０へ登録情報を書き込みたいと考えた場合、まず、利用者ウェブ端末１１を使用して登録情報を入力し、ネットワーク２を介して情報登録ウェブサーバ１２へ送信する。ここで、登録情報とは、利用者に関する情報であり、具体的には、属性情報、嗜好情報、サービス関連情報などが挙げられる。
【００６５】
情報登録ウェブサーバ１２は、ネットワーク２を介して利用者ウェブ端末１１から受信した登録情報の内容を確認し、適当であれば、登録情報にメールアドレスが含まれているか否かを判定する。情報登録ウェブサーバ１２は、登録情報にメールアドレスが含まれている場合には、当該メールアドレスを送信先として確認メールの送信を行い、利用者本人が使用している正しいメールアドレスであるか否かを確認する。そして、情報登録ウェブサーバ１２は、メールアドレスをはじめ登録情報が適当であれば、利用者を識別するための利用者ＩＤを発行し、当該利用者ＩＤをキーとして登録情報を登録情報ＤＢ４に記憶する。また、情報登録ウェブサーバ１２は、登録情報ＤＢ４に記憶した情報に基づいて、発行した利用者ＩＤと、登録情報とをＩＣタグ３０に書き込む。情報が書き込まれたＩＣタグ３０は、郵送により利用者へ配布する。このようにして、本システムによる登録情報の登録及びＩＣタグ３０への書き込みは行われる。
【００６６】
ここで、情報登録ウェブサーバ１２について詳しく説明する。情報登録ウェブサーバ１２は、図７に示すように、登録処理制御部３１及びアドレス確認処理部３２から構成されており、ＩＣタグ用リーダライタ６ａ及び登録情報ＤＢ４に接続されている。また、情報登録ウェブサーバ１２は、利用者が操作する利用者ウェブ端末１１からのリクエストに対し、登録画面を表示させるデータをレスポンスとして送信する。
【００６７】
まず、情報登録ウェブサーバ１２を構成する登録処理制御部３１について説明する。登録処理制御部３１は、利用者ウェブ端末１１から登録情報を受信するたびに起動し、一連の登録処理を行うプログラムを呼び出す。呼び出されたプログラムは、利用者ＩＤを発行し、当該利用者ＩＤをキーとして登録情報を登録情報ＤＢ４に記憶する。また、ＩＣタグ用リーダ／ライタ６ａを介してＩＣタグ３０に利用者ＩＤと、登録情報とを書き込む。ＩＣタグ用リーダ／ライタ６ａは、登録処理制御部３１によって制御されており、電波を介してＩＣタグ３０から登録情報を読み取る機能、及び、ＩＣタグ３０に登録情報を書き込む機能を有する。なお、ＩＣタグ３０に書き込む登録情報にメールアドレスが含まれる場合には、事前にアドレス確認処理部３２を起動する。
【００６８】
次に、情報登録ウェブサーバ１２を構成するアドレス確認処理部３２について説明する。アドレス確認処理部３２は、ＩＣタグ３０に書き込む登録情報にメールアドレスが含まれる場合に起動する。メールアドレス確認処理部３２は、利用者が登録情報として申告したメールアドレスが正しいかどうかを確認するための一連の処理を行うプログラムを呼び出す。呼び出されたプログラムは、利用者ウェブ端末１１から受信した利用者のメールアドレスを送信先として、確認メールを送信する。そして、メールアドレス確認処理部３２が、宛先不明のエラーメールをない場合や適切な返信メールを受信した場合などに、利用者が登録情報として申告したメールアドレスが正しいものと判断する。具体的に、情報登録ウェブサーバ３は、利用者が使用する利用者ウェブ端末１１に確認メールを送信することになる。
【００６９】
なお、登録情報ＤＢ４及びＩＣタグ３０については、上述の第１実施形態とほぼ同様であるため、便宜上説明は省略する。
【００７０】
（ii）情報登録処理
次に、図８を参照して、上記情報登録システム１００ｄにより実行される情報登録処理について説明する。図８は、情報登録処理のフローチャートである。なお、第２実施形態における情報システム１００ｄによる情報登録処理は、ＩＣタグ３０を既に保有している追記登録は行わず、ＩＣタグ３０を保有していない新規登録のみを行うものとする。
【００７１】
利用者は、所定のサービスと利用するためなどに自身に関する情報を登録し、ＩＣタグ３０への書き込みを行いたいと考えた場合、まず、利用者ウェブ端末１１を操作して登録情報を情報登録ウェブサーバ１２へ送信する。情報登録ウェブサーバ１２は、ネットワーク２を介して登録情報を受信する（ステップＳ１１）。そして、情報登録ウェブサーバ１２は、登録処理制御部３１を起動し（ステップＳ１２）、登録処理制御部３１は、受信した登録情報の内容を確認する（ステップＳ１３）。登録情報の内容確認とは、例えば、必須項目のチェックや入力文字形式のチェック等を確認することである。確認の結果、登録情報の内容が不適当であると判定した場合（ステップＳ１４；Ｎｏ）、情報登録ウェブサーバ１２は、修正依頼のメッセージを利用者ウェブ端末１１に送信する。そして、利用者ウェブ端末１１から修正後の登録情報を受信したか否かを判定し、修正後の登録情報を受信した場合（ステップＳ１５；Ｙｅｓ）、情報登録ウェブサーバ１２は、ステップＳ１２へ戻る。一方、修正後の登録情報を受信しなかった場合（ステップＳ１５；Ｎｏ）、情報登録ウェブサーバ１２は、ステップＳ２２へ進み、登録情報の登録を行わずに情報登録処理を終了する。
【００７２】
一方、ステップＳ１４における確認の結果、登録情報の内容が適当であると判定した場合（ステップＳ１４；Ｙｅｓ）、情報登録ウェブサーバ１２は、登録情報にメールアドレスが含まれているか否かを判定する（ステップＳ１６）。そして、登録情報にメールアドレスが含まれていない場合（ステップＳ１６；Ｎｏ）、情報登録ウェブサーバ１２は、ステップＳ１７の処理へ進む。一方、登録情報にメールアドレスが含まれている場合（ステップＳ１６；Ｙｅｓ）、情報登録ウェブサーバ１２は、アドレス確認処理部３２を起動する（ステップＳ１９）。そして、情報登録ウェブサーバ１２は、登録情報に含まれるメールアドレスを送信先として確認メールを送信する（ステップＳ２０）。確認メールの送信により宛先不明のエラーメールを受信した場合や適切な返信メールを受信しなかった場合、情報登録ウェブサーバ１２は、利用者が申告したメールアドレスが正しくないと判定する（ステップＳ２１；Ｎｏ）。そして、情報登録ウェブサーバ１２は、登録情報の登録及びＩＣタグ３０への書き込みを行うことなく登録情報処理を終了する（ステップＳ２２）。
【００７３】
一方、確認メールの送信により、利用者が申告したメールアドレスが正しいと判定した場合（ステップ２１；Ｙｅｓ）、情報登録ウェブサーバ１２は、利用者ＩＤを発行し、当該利用者ＩＤをキーとして登録情報を登録情報ＤＢ４に記憶する（ステップＳ１７）。また、情報登録ウェブサーバ１２は、ＩＣタグ用リーダ／ライタ６ａを制御することにより、利用者ＩＤと、登録情報とをＩＣタグ３０に書き込む（ステップＳ１８）。これにより、情報登録処理は完了する。そして、利用者ＩＤ及び登録情報が書き込まれたＩＣタグ３０は、郵送により利用者へ配布される。
【００７４】
なお、上記第１実施形態および第２実施形態において、情報登録端末３及び情報登録ウェブサーバ１２は、適当な登録情報を取得した際に利用者ＩＤを発行することとしているが、本発明はこれに限定されるものではなく、ＩＣタグ３０に製造時に設定された一意な番号である製造番号を利用者ＩＤの代わりに利用することとしてもよい。この場合、ＩＣタグ３０には利用者ＩＤ及び登録情報を書き込むのではなく、登録情報のみを書き込むことになる。そして、ＩＣタグ用リーダ／ライタは、ＩＣタグ３０から利用者ＩＤではなく製造番号を読み取ることになる。
【００７５】
また、本実施形態では、利用者ＩＤ及び登録情報をＩＣタグ３０に記憶することとしているが、本発明はこれに限定されるものではなく、登録情報のみをＩＣタグに記憶することとしてもよい。
【００７６】
このように、本発明の情報登録システム１００ｄでは、利用者に関する情報をＩＣタグ３０に随時書き込むことができる。これにより、サービスの形態の変化や新サービスの開始に応じて情報を追加書き込みすることで、種々のサービスにＩＣタグ３０を柔軟に対応させることができる。また、利用者は利用者ウェブ端末１１により登録情報の申告を行うことができるため、オペレータや登録用端末が設置された場所まで行く必要はない。即ち、事前に登録情報の申告をしておくことで、ＩＣタグへの情報書き込み時には、登録情報の入力を気軽に行うことができる。
【００７７】
[第３実施形態]
次に、本発明の第３実施形態に係る情報登録システムについて説明する。図９に情報登録システムの概略構成を示す。図９に示す情報登録システム１００ｅは、所定のサービスの会員カードから抽出した利用者の属性情報やサービス関連情報を登録情報として抽出し、ＩＣタグ３０に書き込むシステムである。
【００７８】
図９に示すように、情報登録システム１００ｅにおいて、情報登録端末３は、詳細は後述するが、会員カードから抽出した登録情報をＩＣタグ３０へと書き込む端末である。情報登録端末３は、会員カード用リーダ／ライタ１５、ＩＣタグ用リーダ／ライタ６ａ及び登録情報ＤＢ４に接続されている。ここで、会員カードとは、利用者に関する氏名、年齢、性別といった属性情報の他に、特定のサービスに関連するサービス関連情報を記憶している情報記憶媒体であるものとする。
【００７９】
なお、本実施形態では、情報登録端末３と、会員カード用リーダ／ライタ１５と、ＩＣカード用リーダライタ６ａを通信可能に接続された別々の端末としているが、本発明はこれに限定されるものではなく、それぞれの機能を有する１つの端末とすることもできる。
【００８０】
ここで、本システムによる情報登録及びＩＣタグ３０への書き込み方法の概要を述べておく。利用者は、所定のサービスを利用するためなどに自身に関する氏名、年齢、属性情報及び他のサービスに関連する関連情報を登録情報として登録し、ＩＣタグ３０への書き込みを行いたいと考えた場合、まず、会員カードを提示する。この際、利用者が既にＩＣタグ３０を保有している場合にはそのＩＣタグ３０の同時に提示し、当該ＩＣタグ３０に登録情報を追加書き込み、上書きすることになる。本発明の情報登録システム１００ｅでは、新規登録及び追記登録の双方を適用することが可能である。
【００８１】
会員カード用リーダ／ライタ１５は、利用者が提示した会員カードから登録情報を抽出する。ここで、登録情報とは、利用者に関する情報であり、具体的には、氏名、メールアドレス、性別、年齢といった属性情報、趣味や嗜好といった嗜好情報、利用者が利用しているサービスで使用されるサービスＩＤ、ポイントといったサービス関連情報が挙げられる。
【００８２】
情報登録端末３は、会員カード用リーダ／ライタ１５から取得した登録情報の内容を確認し、適当であれば、利用者を識別するための利用者ＩＤを発行し、当該利用者ＩＤをキーとして登録情報を登録情報ＤＢ４に記憶する。また、情報登録端末３は、発行した利用者ＩＤと、登録情報とをＩＣタグ３０に書き込む。情報が書き込まれたＩＣタグ３０は利用者へ配布される。このようにして、本システムによる登録情報の登録及びＩＣタグ３０への書き込みは行われる。
【００８３】
なお、新規登録ではなく、追記登録の場合、利用者が保有するＩＣタグ３０に会員カードから抽出した登録情報を追記又は上書きして書き込むことになる。
【００８４】
また、会員カードから抽出した登録情報にメールアドレスが含まれている場合には、必要に応じて当該メールアドレスが正しいか否かの判定が行われることになるが、判定方法は上述の第１及び第２実施形態とほぼ同様であるため、便宜上説明は省略する。
【００８５】
ここで、情報登録端末３について詳しく説明する。情報登録端末３は、図９に示すように、登録処理制御部３から構成されており、会員カード用リーダ／ライタ１５、ＩＣタグ用リーダ／ライタ６ａ及び登録情報ＤＢ４に接続されている。なお、登録処理制御部３及び登録情報ＤＢ４は上述の第１及び第２実施形態とほぼ同様であるため、便宜上説明は省略する。
【００８６】
次に、図３（ｂ）を参照して、ＩＣタグ３０について詳しく説明する。図３（ｂ）は、ＩＣタグ３０のデータ構造を模式的に示す図である。ＩＣタグ３０は、情報登録端末が発行した利用者ＩＤと、利用者が申告した登録情報とを記憶している。ここで、利用者ＩＤと、登録情報に含まれるメールアドレス、性別、年齢といった利用者の属性情報及び趣味や嗜好といった嗜好情報は、図３（ｂ）に示すように、登録基本情報として記憶される。また、登録情報に含まれる利用者が利用しているサービスのサービスＩＤ、ポイントといったサービス関連情報は、図３（ｂ）に示すように、サービス関連情報として記憶される。
【００８７】
これによれば、利用者が複数のサービスを利用しており、それぞれのサービスに関連する情報が記憶された会員カードを複数保有している場合、上述のような情報登録システム１００ｅを利用することにより、複数の会員カードの情報を全て１枚のＩＣタグ３０に集約させることができる。よって、利用者は複数の会員カードを持ち歩く必要はなく、ＩＣタグ３０を持ち歩くだけで常に様々なサービスの提供を受けることが可能となる。この場合、ＩＣタグ３０には、会員カードに記憶された登録情報のみならず、会員カード自体が有する機能を追加することになる。
【００８８】
具体的に、量販店におけるポイント還元サービスを情報登録システム１００ｅに適用した場合、ポイント還元サービスのＩＤ情報は利用者が保有するＩＣタグ３０に書き込まれる。よって、量販店のレジスペースにＩＣタグ用リーダ／ライタ６ｂを設置して、所定のポイント還元サービスシステムに接続することにより、利用者は、ＩＣタグ３０によりポイント還元サービスを利用することが可能となる。
【００８９】
なお、会員カードが有する機能をＩＣタグ３０へ追加した場合、それまで利用していた会員カードの機能を停止する場合がある。この場合には、情報登録端末３の登録処理制御部３１は会員カード用リーダ／ライタ１５を介して会員カードの機能を停止させる処理を行う。
【００９０】
このように、本発明の情報登録システム１００ｅによれば、登録情報は利用者が既に保有している会員カードに書き込まれている情報である。よって、登録情報を受け付ける機能は、利用者の会員カードに対応した会員カード用リーダ／ライタ１５が担うことになるため、情報登録端末３の処理負担を軽減することができる。また、ＩＣカードは、アプリケーションとデータがセットの形式でなければ情報を書き込むことはできないが、ＩＣタグ３０はデータのみを情報として順次書き込むことができるので、利用者が保有する複数の会員カードが記憶するデータをＩＣタグ３０に容易に蓄積させることができる。つまり、例えば店舗で利用するポイントカードなど、既に他のサービスで用いられているＩＤをＩＣタグ３０に書き込むことで、１枚のＩＣタグ３０で様々なサービスを受けることが可能となる。
【００９１】
[第４実施形態]
次に、本発明の第４実施形態に係るサービス提供システムについて説明する。図１０にサービス提供システムの概略構成を示す。図１０に示すサービス提供システム２００ａは、登録情報の登録を行ったＩＣタグ３０を利用して、メールによるコンテンツ情報の配信サービスを行うシステムである。
【００９２】
図１０に示すように、サービス提供システム２００ａにおいて、サービス端末２０と利用者端末１０はネットワーク２を介して通信可能に接続されている。ネットワーク２の好適な例はインターネットである。ここで、利用者端末１０とは、利用者が使用しており、ネットワーク２を介して情報登録端末３とメールの送受信が可能な端末である。また、サービス端末２０は、利用者が保有するＩＣタグ３０から抽出した利用者に関する属性情報や嗜好情報に基づいて、適切なコンテンツ情報を特定し、利用者端末１０へ配信する端末である。サービス端末２０は、コンテンツ情報ＤＢ２１と、ＩＣタグ用リーダ／ライタ６ｂに接続されている。ここで、コンテンツ情報ＤＢ２１は、年齢や嗜好情報に対応付けて種々のコンテンツ情報を記憶している。
【００９３】
なお、本実施形態では、サービス端末２０と、ＩＣタグ用リーダ／ライタ６ｂを通信可能に接続された別々の端末としているが、本発明はこれに限定されるものではなく、サービス端末２０とＩＣタグ用リーダ／ライタ６ｂ双方の機能を有する１つの端末とすることもできる。
【００９４】
ここで、本システムによるコンテンツ情報の配信方法の概要を述べておく。サービス提供を希望する利用者は、既に登録情報を登録したＩＣタグ３０をＩＣタグ用リーダ／ライタ６ｂにかざす。具体的に、ＩＣタグ３０には、図１０に示すように、登録情報としてメールアドレス、性別、年齢が書き込まれているものとする。サービス端末２０は、ＩＣタグ用リーダ／ライタ６ｂが読み取った登録情報に含まれている性別や年齢といった属性情報から配信するコンテンツ情報を特定し、コンテンツ情報ＤＢ２１から抽出する。そして、サービス端末２０は、登録情報に含まれるメールアドレスを送信先として特定したコンテンツ情報そのものや、コンテンツ情報へのアクセス方法をメールで配信する。利用者は、受信したメールに基づいて、自身の年齢や嗜好に合った様々なコンテンツ情報を容易に閲覧することができる。
【００９５】
なお、上述のサービス提供システム２００ａは、サービス端末２０がコンテンツ情報を利用者端末１０に配信する場合であるが、本発明はこれに限定されるものではなく、サービス端末２０に接続された表示装置にコンテンツ情報を表示させる場合についても適用することができる。この場合について、図１１を参照して説明する。図１１に示すサービス提供システム２００ｂは、登録情報の登録を行ったＩＣタグ３０を利用して、表示装置５０によるコンテンツ情報の提供サービスを行うシステムである。
【００９６】
図１１に示すように、サービス提供システム２００ｂにおいて、サービス端末２０は、ＩＣタグ用リーダ／ライタ６ｂ、コンテンツ情報ＤＢ２１及び表示装置５０に接続されている。サービス端末２０は、利用者が保有するＩＣタグ３０から抽出した利用者に関する属性情報や嗜好情報に基づいて、適切なコンテンツ情報を特定し、表示装置５０に表示する端末である。ここで、コンテンツ情報ＤＢ２１は、年齢や嗜好情報に対応付けて種々のコンテンツ情報を記憶している。また、表示装置５０とは、具体的には、大型ディスプレイなどが挙げられる。
【００９７】
なお、本実施形態では、サービス端末２０と、ＩＣタグ用リーダ／ライタ６ｂ及び表示装置５０を通信可能に接続された別々の端末としているが、本発明はこれに限定されるものではなく、表示部を備え、サービス端末２０とＩＣタグ用リーダ／ライタ６ｂ双方の機能を有する１つの端末とすることもできる。
【００９８】
ここで、本システムによるコンテンツ情報の配信方法の概要を述べておく。サービス提供を希望する利用者は、既に登録情報を登録したＩＣタグ３０をＩＣタグ用リーダ／ライタ６ｂにかざす。具体的に、ＩＣタグ３０には、図１０に示すように、登録情報として性別や年齢が書き込まれているものとする。サービス端末２０は、ＩＣタグ用リーダ／ライタ６ｂが読み取った登録情報に含まれている性別や年齢といった属性情報から配信するコンテンツ情報を特定し、コンテンツ情報ＤＢ２１から抽出する。そして、サービス端末２０は、特定したコンテンツ情報を表示装置５０に表示する。利用者は、表示装置５０に表示されたコンテンツ情報を閲覧することで、サービスの提供を受けることができる。
【００９９】
これによれば、利用者のメールアドレスや嗜好情報、属性情報などをＩＣタグ３０に書き込むことができるので、利用者がＩＣタグ３０をＩＣタグ用リーダ／ライタ６ｂにかざしたとき、従来のように所定の管理サーバに問い合わせをすることなく、利用者の本人認証やコンテンツ情報の特定を行うことができる。よって、従来に比べてより迅速なサービスの提供が可能となる。
【０１００】
このように、本発明によれば、既に利用しているＩＣタグに様々な情報を追加して書き込むことができる。よって、１枚のＩＣタグを様々なサービスで利用できるようになり、利用者は、サービス毎にＩＣタグや会員カードを使い分ける必要がなくなる。一方、サービス提供会社にとっても、新規サービス毎にＩＣタグを新しく生産し、利用者に配布する手間が必要なくなるという利便性がある。さらに、他のサービスに関連するサービス関連情報をＩＣタグに書き込むことで、１つのＩＣタグで会社を超えた様々なサービスを利用することができるようになる。
【０１０１】
また、利用者のサービス利用時においても、利用者に配布するＩＣタグに利用者に関する情報を直接書き込むことにより、サービス提供時には所定の管理サーバに問い合わせをしなくとも利用者の本人認証やサービスの特定を行うことが可能となる。よって、所定の管理サーバとの通信環境の有無に関わらず、サービス提供会社はサービスの提供を行うことが可能となり、より迅速なサービスの提供、より柔軟なサービス形態への対応が可能となる。
【産業上の利用可能性】
【０１０２】
本発明によれば、利用者に関する情報をＩＣタグに随時書き込むことで種々のサービスに柔軟に対応でき、迅速なサービスの提供を行うことができる。
【図面の簡単な説明】
【０１０３】
【図１】第１実施形態における情報登録システムの概略構成を示す図である。
【図２】登録情報ＤＢのデータ構造を模式的に示す図である。
【図３】ＩＣタグのデータ構成を模式的に示す図である。
【図４】第１実施形態における情報登録処理のフローチャートである。
【図５】第２変形例における情報登録システムの概略構成を示す図である。
【図６】第３変形例における情報登録システムの概略構成を示す図である。
【図７】第２実施形態における情報登録システムの概略構成を示す図である。
【図８】第２実施形態における情報登録処理のフローチャートである。
【図９】第３実施形態における情報登録システムの概略構成を示す図である。
【図１０】メール配信によるサービス提供システムの概略構成を示す図である。
【図１１】コンテンツ情報の表示によるサービス提供システムの概略構成を示す図である。
【符号の説明】
【０１０４】
２…ネットワーク
３…情報登録端末
４…登録情報ＤＢ
６ａ…ＩＣタグ用リーダ／ライタ
１０…利用者端末
３０…ＩＣタグ
１００ａ…情報登録システム
【図１】
2005338909.tif 000003
【図２】
2005338909.tif 000004
【図３】
2005338909.tif 000005
【図４】
2005338909.tif 000006
【図５】
2005338909.tif 000007
【図６】
2005338909.tif 000008
【図７】
2005338909.tif 000009
【図８】
2005338909.tif 000010
【図９】
2005338909.tif 000011
【図１０】
2005338909.tif 000012
【図１１】
2005338909.tif 000013